Podtech/llm-jp-corpus-v4-ja_patent huggingface dataset:
(57)【要約】【課題】  老人、杖を必要とする人、女性、子供誰でも簡単な操作で体に傘が装着、脱着出来る、軽量で、シンプルな構造のプラスチックを主材にした肩掛け式傘ホルダーで、使用する事により両手が使え、また、装着に際し傘と体を空け、差し心地を良くした傘ホルダーを提供する。【解決手段】  プラスチックを主材とした、肩掛け式傘ホルダーでホルダーを肩に掛け支柱の下方を腰部で締めたベルトと体の間に差し込み、支柱を安定させ、それに固定された傘を差す様にした傘ホルダーである。【選択図】  図１
2006075557.tif 000002
【特許請求の範囲】
【請求項１】
、日傘、雨傘を差したままで両手が使える様にした傘ホルダーで、形態は肩掛け式にし傘ホルダーの支柱を腰部で専用ベルトで体に止め装着し、傘の取っ手ホルダー部で傘の取っ手を掴む様に固定する、非常にシンプルな構造でかつ装着、脱着操作が簡単な傘ホルダー。
【請求項２】
傘取っ手ホルダー部の内部はソフトラバーを上下部を厚手に中央部を薄手に組み合わせる事を特長とし、太さの違う取っ手や、折りたたみ傘の様な短い取っ手にも対応出来る〔請求項１〕に記載したホルダーである。
【請求項３】
ホルダー主柱部に２カ所のスライド部位を設ける事により、使用者の身長差や柄の長い傘、短い傘に対応出来る様にした〔請求項１〕又は〔請求項２〕記載の傘ホルダーである。
【請求項４】
傘の支え部に足、取っ手ホルダー部に袴を設け、差し心地を良くした〔請求項１〕〔請求項２〕又は〔請求項３〕記載の傘ホルダーである。
【請求項５】
支え支柱部のスライド部位で、支柱ホルダーの下部支柱と肩掛部支柱が２つに分かれ短くなり、不使用の時、持ち歩き易くなる様にした、〔請求項１〕〔請求項２〕〔請求項３〕又は〔請求項４〕記載の傘ホルダーである。
【発明の詳細な説明】
【技術分野】
【０００１】本発明は、日よけ、雨よけの傘を差しても、両手が使えて歩く事の出来る傘ホルダーである。
【背景技術】
【０００２】プラスチック製で肩掛け式にする事により、今までの物より装着、脱着がより簡単で、又肩上での移動が容易で、差した傘の角度が容易に変えられ遮断効果が良い。【０００３】
【特許文献】特開２００２−５４６１３  特開２００４−１６７９３  実用新案登録第３０９６７１０号
【発明の開示】
【発明が解決しようとする課題】
【０００４】  本発明は、今までの物より更にシンプルな構造で軽量にして、装着、脱着操作がより簡単に出来るプラスティック整形品を主体にした傘ホルダーである。
【課題を解決するための手段】
【０００５】  肩掛け式にする事により、右肩からでも、左肩からでも傘が差され、日差し、雨降りの方向に対し、右肩（左肩）より左肩（右肩）への移動が容易に出来、遮断効果がより上る傘ホルダーである。【０００６】  使用者の身長差とあらゆる傘の柄の長短（日傘、折りたたみ傘の様な柄の短い傘、雨傘の様な柄の長い傘・・・）等に対し、２ケ所にスライド部位（２２，２３）を設け調整する。【０００７】  支えホルダーの足（８）と取っ手ホルダー部の袴（１５）で傘の柄をを体から離す事により、差し心地を良くする。【０００８】  支柱の下部に、ずり落ち防止ストッパー（１８）と  抜け防止ストッパー（１９）を設け傘の保持を安定させる。【０００９】  専用ベルト（２０，２１）は、布製で任意な長さに調節でき、簡単に任意の位置で締めれる様にする。
【発明の効果】
【００１０】  老若男女誰でも簡単に装着、脱着出来る、構造が非常にシンプルで軽量であり、特に（イ）杖を必要としている方々、（ロ）幼児連れや、乳母車、買い物車等をを引いている方々、（ハ）買い物などで、荷物の多い方、（ニ）小学生等で特に荷の多い日の通学など弱者の方々に対し特に有効で、又、坂道で手押し車や乳母車等を押しての歩行時や、坂道、階段などの手すり等も使え、より安全に歩ける傘ホルダーである。
【実施例】
【００１０】  本発明の肩掛け式傘ホルダーは、肩掛け式支柱（４，６）と、体に密着させる為の専用ベルト（２０，２１）の２部品より構成され、支柱の傘の取っ手を掴むホルダー部（１２）で傘をしっかり握る様に固定し、傘の柄の中間にクリップ式の支えホルダー（７）で軽く掴む様に止める事により、差した傘が固定し、両手が使える様になる。【００１１】  専用ベルト（２０）を腰部にしっかりと締め、支柱ホルダー（４，６）を肩に掛け、下端より体とベルトの間に抜け防止ストッパー（１９）とずり落ち防止ストッパー（１８）の間まで差し込む。【００１２】  傘の取っ手を傘の取っ手ホルダー（１２〜１４）で固定し、柄の上部の支え部（７）で軽く掴み支える。【００１３】  傘の柄の長短差により、取っ手ホルダーと支えホルダー部をスライドさせ（２２，２３）傘の位置を調整する。【００１４】  肩掛け部（４）を左右に動かす事により、傘の角度が変わり遮断効果が上がる。【００１５】  肩掛け部（４）を右肩（左肩）より左肩（右肩）へ移動させる事により、容易に日差し、雨降りによる遮断方向が変えられる。
【図面の簡単な説明】
【図１】本発明の使用図例
【図２】肩掛式ホルダー  専用ベルト    各部位説明図
【図３】傘の支点部    展開図
【図４】傘の取っ手ホルダー部    展開図
【図５】支えホルダー部  スライド部    展開図
【符号の説明】
１  傘  ２  柄  ３  取っ手  ４  肩掛ホルダーの支柱（肩部）  ５  肩掛部のソフトラバー  ６  肩掛けホルダーの支柱（腹部）  ７  傘の柄  支え部  ８  〃      足  ９  〃      支え部のソフトラバー１０  スライドガード１１  スライドストッパー１２  取っ手ホルダー１３  〃            ソフトラバー１４  〃            締め金１５  〃            袴１６  スライドガード１７  スライドストッパー１８  ずり落ち防止ストッパー１９  抜け防止ストッパー２０  ベルト２１  〃    締め具２２，２３，２４  スライドを示す
【図１】
2006075557.tif 000003
【図２】
2006075557.tif 000004
【図３】
2006075557.tif 000005
【図４】
2006075557.tif 000006
【図５】
2006075557.tif 000007
(57)【要約】      （修正有）【課題】マイナスイオンを発生する素材、モナザイト、雲母、遠赤外線を放射する素材、トルマリン、を利用した患部の痛み緩和用マットとして、簡単に患部に装着出来るマットの製造法、およびマイナスイオンの発生量を適応する数値に調整する方法を提供する。【解決手段】雲母粉末、モナザイト粉末、トルマリンを混合撹拌し、水溶性接着剤を注入撹拌して液状化し、厚めのガーゼに塗付し上面に厚めのガーゼをかぶせてプレスし、低温乾燥してマットを成形する。水防止の為ビニール被覆をし、クション材として表面をガーゼで被覆し仕上げる。マットの形状は、幅５〜６ｃｍ、長さ６〜７ｃｍ、厚み２〜３ｍｍとし、マイナスイオン発生量を、素材の比率混合することで適応する数値８００ｋ個／ｃｃ〜１５００個／ｃｃに調整する。【選択図】図１
2006075555.tif 000002
【特許請求の範囲】
【請求項１】
精製雲母粉末．トルマリン粉末．モナザイト粉末．を比率調合して混合物にしアクリル系接着剤（水溶性）を注入して撹拌し液状にする。
【請求項２】
液状にした混合材を厚めのガーゼに塗付（２〜３ｍｍ）して上面に厚めのガーゼをのせてプレスし成型して低温乾燥する。
【請求項３】
成型されたマットを（幅５〜６ｃｍ長さ６〜７ｃｍ）加工しビニール被覆して密封し．外面にクッションガーゼを被覆して仕上げたＭ。Ｔ。マット。
【発明の詳細な説明】
【発明の詳細な説明】
この発明は、精製雲母粉末、モナザイト粉末、トルマリン粉末、を調合した［Ｍ。Ｔ。マット］を体の患部に装着しようとするものである。マイナスイオン、遠赤外線が体になんらかの影響があると言うことは発明者が発見したことで、関節痛、肩こり、高血圧、などの個人的実験をくりかえし、その治療例は多例に及んでいる。しかしその治療効果が医学的に証明されるものかどうかは、今後の問題に属すことで、本題の主眼とすべきところではない。マイナスイオンは、血圧降下、血液浄化、疲労防止。遠赤外線は、毛細血管を拡張し新陳代謝を促進させる。以上の様な効果があると言われています。そこでマイナスイオンを発生する素材（モナザイト粉末．約７０００個／ＣＣ）                                  （精製雲母粉末    約６００個／ＣＣ）      遠赤外線を放射する素材      （トルマリン粉末）上記素材を比率調合して適応する発生量にする。（８００〜１５００個／ＣＣ）では。混合材を如何にして体の患部に装着するかである。マット形状にすれば患部に装着が容易である。（幅５〜６長さ６〜７ｃｍ）マットにするには。どの様に加工したらよいか試行錯誤の結果．精製雲母粉末モナザイト粉末．トルマリン粉末．の混合材にアクリル系接着剤を注入し撹拌し液状にして．厚ガーゼに塗布し（２〜３ｍｍ）上面に厚ガーゼをかぶせて。プレスする。成型されたものを低温乾燥し固形化し成形する。マットを水防止の為にビニール被覆して外面にクッションガーゼを被覆してＭ．Ｔ．マットの完成である。
【背景技術】サポート。はり薬。塗り薬。
【発明が解決しようとする課題】
素材をマットにするには、如何に製造するか。環境保護の為に使用後は回収しリサイクルする方法。
【課題を解決する手段】
素材をマットにするには、素材を粉末にして調合し接着剤を注入して攪拌し液状にする。これを厚めのガーゼに塗付（厚み２〜３ｍｍ）上面に厚めのガーゼをかぶせてプレスして低温乾燥することによりマットにすることが出来た。最初は精製雲母粉末とモナザイト粉末を調合し接着剤を注入し成形してみましたが、接着力が薄くすぐくずれてしまいましたのでトルマリン粉末を加えてみましたらトルマリン粉末がつなぎの役目をしてくれ成形に成功しました。環境保護の為に有効期間後は返却していただき回収する。リサイクルする為に接着剤を水溶性の接着剤を使用する事により素材を分離出来るようにしました。
【作用】
素材の比率混合する事によりマイナスイオンの発生量を適応する発生量に調整できる。水溶性接着剤を使用する事により、リサイクル出来る。
【効果】
体に装着する場合クションガーゼにより意悪感がない。連続使用できる。（使い捨てでない）
【図１】
2006075555.tif 000003
【手続補正書】
【提出日】平成16年12月13日(2004.12.13)
【手続補正１】
【補正対象書類名】明細書
【補正対象項目名】全文
【補正方法】変更
【補正の内容】
【発明の詳細な説明】
【発明の詳細な説明】
この発明は、精製雲母粉末、モナザイト粉末、トルマリン粉末、を調合した［Ｍ。Ｔ。マット］を体の患部に装着しようとするものである。
マイナスイオン、遠赤外線が体になんらかの影響があると言うことは発明者が発見したことで、関節痛、肩こり、高血圧、などの個人的実験をくりかえし、その治療例は多例に及んでいる。
しかしその治療効果が医学的に証明されるものかどうかは、今後の問題に属すことで、本題の主眼とすべきところではない。
マイナスイオンは、血圧降下、血液浄化、疲労防止。
遠赤外線は、毛細血管を拡張し新陳代謝を促進させる。
以上の様な効果があると言われています。
そこでマイナスイオンを発生する素材（モナザイト粉末．約７０００個／ＣＣ）
（精製雲母粉末    約６００個／ＣＣ）
遠赤外線を放射する素材    （トルマリン粉末）
上記素材を比率調合して適応する発生量にする。（８００〜１５００個／ＣＣ）
では。混合材を如何にして体の患部に装着するかである。
マット形状にすれば患部に装着が容易である。（幅５〜６長さ６〜７ｃｍ）
マットにするには。どの様に加工したらよいか試行錯誤の結果．精製雲母粉末モナザイト粉末．トルマリン粉末．の混合材にアクリル系接着剤を注入し撹拌し液状にして．厚ガーゼに塗布し（２〜３ｍｍ）上面に厚ガーゼをかぶせて。プレスする。成型されたものを低温乾燥し固形化し成形する。
マットを水防止の為にビニール被覆して外面にクッションガーゼを被覆してＭ．Ｔ．マットの完成である。
【図面の簡単な説明】
【図１】平面図と断面図である。
【符号の説明】
１    モナザイト粉末。トルマリン粉末。雲母粉末。の調合剤
２    ガーゼ
３    防水ビニール
４    被覆がーゼ
(57)【要約】【課題】    茶碗に盛られるご飯のカロリー数を把握できるしゃもじ製品を提供する。【解決手段】  しゃもじ１に約１００ミリリットルの凹型２を設け約１００キロカロリー分のご飯３が盛られるようにする。【選択図】  図３
2006075553.tif 000002
【特許請求の範囲】
【請求項１】
しゃもじのご飯をすくう部分に約１００ミリリットル分の凹型の空間を設け、そこにすりきり１杯のご飯を盛ることで約１００キロカロリー分のご飯が盛れるしゃもじ製品。また、そのように、熱量を基準とした分量をすくうことの出来るしゃもじ製品及び、その製品化。
【請求項２】
請求項１に記載のしゃもじ製品は、形状とその大小、材質の種類、すくう部分の細かい凹凸状及びテフロン、その他等の表面加工、すくえるご飯の量及び種類等は、この限りではない。
【発明の詳細な説明】
【発明の詳細な説明】
【技術分野】
【０００１】  本発明は、新規なしゃもじ製品に関するものである。
【背景技術】
【０００２】  従来、大量のご飯をすくうことのできる製品が市販されている。【０００３】  上記のしゃもじに有っては、不特定量のご飯をすくうだけで有った。
【発明の開示】
【発明が解決しようとする課題】
【０００４】  本発明は、この様な従来しゃもじにおける問題点を解決するためになされたものであり、日本人の大半が主食とするごはんのカロリーコントロールが容易にでき、健康の増進、ダイエット効果が期待できるしゃもじ製品を提供することを目的とする。
【課題を解決するための手段】
【０００５】  この目的を達成するため、本発明のうち、請求項１は、しゃもじのご飯をすくう部分に、約１００ミリリットルの半球状の凹型を設け、そこにすりきり一杯にごはんを盛ることで約１００キロカロリーとなることを特徴とするしゃもじ製品を提供する。【０００６】  また、請求項２に記載されてるように、ご飯をすくう部分の大小及び、形状、表面加工、材質の種類に限らず、製品化可能な事を特徴とする。しかし、ご飯の炊き具合、玄米、米の種類によるカロリーの誤差が生じる為、製品化に至っては、本発明製品を最大に生かすために、前記の誤差を調整する為の説明書を用意するのが好ましい。
【発明の効果】
【０００７】  以上のように、本発明品を使用する事によりご飯を秤にのせずに直接茶碗に盛ることが出来る。そして、日々の食事によるカロリーの摂り過ぎを防ぐことにより、健康、ダイエット、スポーツ選手等のウェイトコントロールにおおいに役立つ効果が得られる。
【発明を実施するための最良の形態】
【０００８】  本発明の、ご飯をすくう部分は約１００ミリリットルの凹型とし、その先端周りの厚さはうすめにし、表面は、ご飯粒がつかないように小さな凹凸状に加工したりテフロン加工等を施すと良い。また、ご飯の炊き具合、玄米、米の種類による誤差が生じる為、それらの調整法を説明した書類を添付するのが好ましい。
【実施例】
【０００９】  図１は、本発明の形状の１例であり、そのしゃもじ１に約１００ミリリットル分の凹型２を設け、そこでご飯をすくい、すりきり約１００キロカロリー分のご飯３を盛る事が出来る。また、約２５０キロカロリー分を茶碗に盛るときは、２スクープと半分盛ればよい。
【図面の簡単な説明】
【００１０】
【図１】本発明の平面図である。
【図２】本発明の断面図である。
【図３】本発明の使用状態の断面図である。
【符号の説明】
【００１１】１    しゃもじ
２    約１００ミリリットル分の凹型
３    約１００キロカロリー分のご飯
【図１】
2006075553.tif 000003
【図２】
2006075553.tif 000004
【図３】
2006075553.tif 000005
(57)【要約】      （修正有）【課題】  ゲーム機のコントローラであって、コントローラ本体を前後左右上下に動かしたときに擬似体験できるようにする。【解決手段】  コントローラーの中心にある地球コマ（ジャイロ）を回転させコントローラー本体を前後左右上下動かすことにより疑似体験でコントローラーに体感を得る。【選択図】    図１
2006075556.tif 000002
【特許請求の範囲】
【請求項１】
コントローラー本体１の中心部で地球コマ（ジャイロ）２を回転させることによりコントローラー本体１を前後左右上下動かすとコントローラー本体１に擬似体感で重さを体感できるコントローラー装置。
【請求項２】
コントローラー本体１の中心部に地球コマ（ジャイロ）２を取り付けた請求項１記載のコントローラー装置。
【請求項３】
コントローラー本体１に地球コマ（ジャイロ）２の前後感度調整トリムスイッチ４、左右感度調整トリムスイッチ５を取り付けた請求項１記載のコントローラー装置。
【請求項４】
地球コマ（ジャイロ）２の回転を得るためにモーター３を取り付けた請求項１記載のコントローラー装置。
【請求項５】
ソフトの内容によってはコントローラー本体を前後左右上下動かすとモニター画面の一部あるいは全体がジャイロセンサー６でリンクする請求項１記載のコントローラー装置。
【発明の詳細な説明】
【発明の詳細な説明】
【技術分野】
【０００１】      本発明は、ゲーム機のコントローラー装置に関する。
【背景技術】
【０００２】      従来のゲーム機のコントローラー本体は、キャラクターを操作したり、バイブレーション（振動）を発生させるだけの装置。
【発明が解決しようとする課題】
【０００３】      従来のゲーム機のコントローラー装置にあっては、プレーヤー自身が体感できないソフトが特に多く、シュミレーションソフトの自動車のハンドルを廻しても重さ（Ｇ）を感ぜず飛行機の操縦桿を引いても重さ（Ｇ）を感じない問題点があった。
【０００４】      本発明はゲーム機のコントローラー本体を前後左右上下動かしたとき擬似体感で重さを体感確保の目的としている。
【課題を解決するための手段】
【０００５】      上記目的を達成するために本発明は、従来のコントローラー本体で地球コマ（ジャイロ）を起動させることにより、コントローラー本体でプレーヤーが擬似体感できるものである。
【０００６】      上記のコントローラー本体又はモニター上で地球コマ（ジャイロ）の前後感度調整トリム、左右感度調整トリムがあるのが、好ましい。
【発明を実施するための最良の形態】
【０００７】      発明の実施の形態を実施例にもとずき図面を参照して説明する。
図１において、コントローラー本体１の中心部に地球コマ２組み込みモーター３で回転させる、コントローラー本体を前後左右上下動かすことにより擬似体感で重さを得る。
【発明の効果】
【０００８】    本発明は以上説明したように構成されているので、以下の記載されるような効果を奏する。
【０００９】    地球コマ（ジャイロ）をコントローラーに組み込むことによりプレーヤーに疑似体験の重さ（Ｇ）を体感確保できる。
【図面の簡単な説明】
【図１】コントローラーの正面図である。
【図２】コントローラーの前面図である。
【符号の説明】
１    コントローラー本体
２    地球コマ（ジャイロ）
３    モーター
４    前後感度調整用トリムスイッチ
５    左右感度調整用トリムスイッチ
６    ジャイロセンサー
【図１】
2006075556.tif 000003
【図２】
2006075556.tif 000004
(57)【要約】【課題】  調理済みの魚の身の部分を、骨の部分から容易にかつきれいに剥離することを実現することを目的とする。【解決手段】  柄と刃の位置関係が図２の如く一直線上になく、かつナイフの刃の部分が図２−１１の如く曲線を有する肉厚な形状となっている魚料理喫食用のナイフを提供する。【選択図】  図２
2006075547.tif 000002
【特許請求の範囲】
【請求項１】
魚料理を食するときに使用するナイフにおいて、ナイフの刃の背側の肉厚が５〜２０ｍｍの肉厚構造になっていることを特徴とする。
【請求項２】
ナイフの刃と柄とが一直線上になく、５〜３０度の角度が付いていたり、柄が刃の部分に対してオフセットしていることを特徴とする。
【発明の詳細な説明】
【技術分野】
【０００１】  魚料理を食するときに、身を骨からきれいに剥離することを、容易に実現できる食事用のナイフを提供することを目的とする。
【背景技術】
【０００２】  箸で魚料理を食するときには、魚の身に対して箸の先端を差し込んで、その先端部分で身と骨を分離していた。また洋食ではナイフを使用するが、このナイフは図１のように刃２と柄３が一直線になっていた。このため、魚の身を骨からはがそうとした場合は、ナイフの柄とは反対側の刃の先端部分のみが、魚の身に切れ込むだけで、ナイフの刃全面を使用することは出来なかった。また、ナイフの刃の背側の厚みは刃の部分とほぼ同様な厚みで、刃の側面は平面となっており、ナイフが身の中に切れ込んでいくと、この面に魚の身が張り付く場合があり、崩れやすい魚の身を、骨からきれいにはがすことが困難で、その困難さゆえに魚料理が嫌われる原因のひとつともなっていた。
【発明の開示】
【発明が解決しようとする課題】
【０００３】  調理済みの魚の身の部分を、骨の部分から容易にかつきれいに剥離するのを実現することを目的とする。そのためには魚の身と骨の境界に沿って刃が正確に切れ込んでいく食事用ナイフの構造、および、切り進まれた身の部分がナイフの刃の部分から離れて癒着しない食事用ナイフの構造を提供することが、本発明の課題点である。
【課題を解決するための手段】
【０００４】  本発明のナイフの形状を図２に示す。
魚の身の部分に切れ込んでいく刃の部分が先端部分のみでなく、広範囲になるように、また、魚の骨に沿って一定の角度で切れ込むように、ナイフの刃と柄の連結の形状を改める。具体的には、
１）一直線上にあったナイフの刃と柄を、７のように角度を付ける。
２）或いは、８のようにオフセットさせる。
３）１）、２）の方法を併用し、９のように角度を付けオフセットさせる。
そして骨と身の境界部分を一定角度で切れ込めるように、また切れ込んだナイフに魚の身の部分がまとわり付かないように、ナイフの刃の形状を改める。具体的には刃の断面形状を従来１０のような形状だったものを１１のような肉厚の形状にする。
【発明の効果】
【０００５】  図３を用いて本発明のナイフの効果を説明する。
１；魚料理を通常のナイフ１２で食そうとすると、ナイフの先端部分１３のみが魚の身に切れ込む形となるが、本発明のナイフ１５を使用すると、柄と刃の部分の位置関係からナイフの刃の部分全体１７が魚の身の部分に切れ込み、きれいに身の部分を骨の部分から剥離することが出来る。また、ナイフの刃の部分が２０の様に肉厚のため、骨と身の部分にきれいに切れ込み、骨から剥離された身の部分１９はナイフの刃の断面が曲線になっている効果で、刃にへばりつくことなしに骨からはがれることとなる。
２；また、副次的効果として身が崩れることなくきれいに剥離できるため、見た目にも旨そうに感じられ、魚嫌いの解消、魚の消費規模の拡大、漁業の振興  健康増進、等の効果も期待できる。
【発明を実施するための最良の形態】
【０００６】  従来のナイフに比較して、肉厚の刃になっている事を特徴とするナイフの刃の部分と、それを保持する柄の部分が一直線上に無いことを特徴とする。
その具体的形態としては、【０００４】にて既述のとおり図２に示したような形状がある。
【実施例】
【０００７】  本ナイフの使用実施例としては以下の様な物が有る。
１；パリパリになっている焼き魚の皮の部分が在ってもこのナイフを使用することにより、身の部分を崩さないできれいに骨から分離することが出来る。
２；煮魚は調理が終了した状態で身が崩れないように、骨が付いたまま供されるが、このナイフを使用することにより、身と骨が容易に分離できる。
３；魚の身の部分を崩すこと無く、容易に骨から分離できるため、見た目にも美味しそうに感じることが出来、見た目、食べにくさが原因の魚嫌いを改善できる。
【産業上の利用可能性】
【０００８】  和、洋、中等のジャンルを問わず、あらゆる魚料理を食する場合において利用できる。
【図面の簡単な説明】
【０００９】
【図１】「従来の魚料理用のナイフ」
【図２】「本出願の魚料理用のナイフ」
【図３】「使用例」
【符号の説明】
【００１０】１は従来の魚料理用ナイフの断面
２は従来の魚料理用ナイフの刃の部分
３は従来の魚料理用ナイフの柄の部分
４は本出願のナイフの断面図における柄の部分
５は本出願のナイフの断面図における刃の部分
６は本出願のナイフの刃の部分
７は本出願のナイフの角度の付いた柄の部分
８は本出願のナイフのオフセットした柄の部分
９は本出願のナイフの角度が付き、オフセットした柄の部分
１０は従来の魚料理用ナイフの刃の断面
１１は本出願のナイフの刃の断面
１２は従来の魚料理用ナイフ
１３は従来の魚料理用ナイフの刃の先端部分
１４は喫食しようとしている魚
１５は本出願の角度の付いた柄を有するナイフ
１６は本出願の角度の付いた柄と刃との位置関係
１７は刃の部分全体が身に切れ込んでいる本出願のナイフ
１８は喫食しようとしている魚の骨の部分
１９は喫食しようとしている魚の身の部分
２０は身に切れ込みながら、骨と身をはがしている肉厚の刃の断面
【図１】
2006075547.tif 000003
【図２】
2006075547.tif 000004
【図３】
2006075547.tif 000005
(57)【要約】【課題】      従来の爪切り器は、爪きり器本体を爪に合わせて、少しずつ前後左右に移動させて、切る長さや角度を、感覚で調節しなくてはならず、特に足の爪及び幼児、高齢者、病人の爪が切りにくかった。【解決手段】  爪きりの上刃と上刃押さえ板の前方部分から上刃押さえ押圧操作板の支点までの間に切ろうとする爪の部分が目視できる窓を設け安全確実に安心して爪を切る事を特徴とする爪切り器。【選択図】図１
2006075550.tif 000002
【特許請求の範囲】
【請求項１】
爪切り器の上刃と上刃押さえ板の前方部分から上刃押さえ押圧操作板の支点までの間に、切ろうとする爪の一部分が目視できる窓を設けたことを特徴とする爪切り器。
【発明の詳細な説明】
【技術分野】
【０００１】本発明は、切る爪が確認できる窓を設けた爪切り器に関するものである。
【背景技術】
【０００２】従来、足の爪、幼児、高齢者、病人の爪が切りにくかった。
【発明の開示】
【発明が解決しようとする課題】
【０００３】従来の爪切りは、爪切り器を爪にあわせて少しずつ前後左右に移動させて、切る爪の長さや角度を、感覚で調節しなくてはならず、特に足の爪および幼児、高齢者、病人の爪が切りにくかった。
本発明は、以上の問題点を解決する為になされたものである。
【課題を解決するための手段】
【０００４】爪切り器の上刃と上刃押さえ板の前方部分に切ろうとする爪の一部が見える窓を設けた事によって、切る爪の長さや角度及び位置がわかりやすくなり、切りずらい欠陥もあわせて解消する。
【発明の効果】
【０００５】爪切り器本体に窓を設ける事により、目で確かめられ、深爪や爪以外を切る心配なく、安全、安心に爪を切る事が出来る。
【発明を実施するための最良の形態】
【０００６】爪切り器本体の上刃と上刃押さえ板の前方部分に、切ろうとする爪の一部が目で見える窓を設けることにより本来、大体感覚で切っていた爪きり作業をより確実に切ることができる。
【実施例】
【０００７】以下、添付図面に従い実施例を説明する、爪切り器の上刃１から上刃押さえ板２を駆動する押圧操作板３の支点４までの間に窓５を設け、切ろうとする爪を目で確かめて切る。
【産業上の利用可能性】
【０００８】本発明に係る爪切り器は、工業的に量産する事ができる為、産業上の利用可能性を有する。
【図面の簡単な説明】
【０００９】
【図１】本発明の窓を設けた爪切り器の斜視図である。
【図２】本発明の窓を設けた爪切り器の断面図である。
【図３】本発明の窓を設けた爪切り器の正面図である。
【符号の説明】
【００１０】１  爪切り器の上刃
２  爪切り器の上刃押さえ板
３  上刃押さえ板押圧操作板
４  押圧操作板の支点
５  切ろうとする爪が見える窓
【図１】
2006075550.tif 000003
【図２】
2006075550.tif 000004
【図３】
2006075550.tif 000005
(57)【要約】【課題】  瓶など容器の内面を洗浄するとき、開口部が小さく内径が大きい、又は凹凸があるなど、その形状に関係なく、簡単な方法で内面全体の汚れを除去するブラシを提供する。【解決手段】屈曲自在なクサリに、連結具とクサリを介して、複数個のブラシを連結して設けたことを特徴とする台所用の瓶洗いブラシ。【選択図】図１
2006075546.tif 000002
【特許請求の範囲】
【請求項１】
クサリの一端に、連結具を介して、ブラシを複数個連ねて設ける。そして、洗浄する瓶の中にブラシ全体を入れて瓶を振り動かし、中のブラシを転動させて内面の汚れを除去することを特徴とする台所用の瓶洗いブラシ。
【発明の詳細な説明】
【技術分野】
【０００１】  本発明は、瓶など容器の内面を洗浄するとき、開口部が小さく内径が大きい、又は凹凸があるなど、その形状に関係なく、簡単な方法で内面全体の汚れを除去できることを特徴とする台所用の瓶洗いブラシに関するものである。
【背景技術】
【０００２】  従来、瓶など容器の内面を洗浄するブラシは、直線的な棒状の柄の一端にブラシを設けていて、柄を手に持ち、ブラシを瓶など容器の口から挿入し、ブラシを内面に接触させながら上下左右に動かせて汚れを除去していた。
また、クサリにブラシを連結させているなど、瓶洗いブラシの発明は知られている。
【特許文献１】実公昭５５−０４００１４
【特許文献２】実全昭５５−０６３９６２
【特許文献３】実全昭５５−１１４２３６
【特許文献４】実全昭５６−０１３９２５
【特許文献５】特開２００２−０１７４４７
【特許文献６】特開２００３−０４７５２７
【特許文献７】特開２００４−１５４５０５
【発明の開示】
【発明が解決しようとする課題】
【０００３】  そのために、次のような欠点があった。
柄を持ち、瓶の開口部から挿入したブラシは、多方向に動かしても、口径が小さい場合  は、ブラシの動く範囲が限られ、又、ブラシの全長より瓶が長い場合など、内面に接触  不可能な部分が多くある。従って、汚れが残り、瓶を再利用する時は不潔であり、又、  不潔になったため、廃棄することもある。
本発明は、以上の欠点を解決しようとするものである。
【課題を解決するための手段】
【０００４】  クサリの一端に、連結具を介して、複数個のブラシを連ねて設け、瓶など容器の中にブラシ全体を入れて開口部を蓋し、瓶を振り動かし、中のブラシを転動させて汚れを除去する。以上を特徴とする台所用の瓶洗いブラシである。
【発明の効果】
【０００５】  本発明は、瓶など容器の内面を洗浄するとき、多種ある形状に関係なく、極めて簡単な方法で全内面の汚れを除去するため、洗浄作業を容易にし時間を短縮する。
【発明を実施するための最良の形態】
【０００６】  以下、本発明を実施の形態について説明する。
（イ）ブラシ（Ａ）は、複数本の芯金（７）の間に毛様体を挟み捻って形成していて、芯      金（７）の一方に取り付けた環状の連結具（５）を介してクサリ（Ａ）を接続し、      他方に取り付けた同形状の連結具（５）を介してクサリ（Ｂ）を接続している。そ      して、各連結具（５）は、クサリ（Ａ）も（Ｂ）も自在に動ける形状である。
（ロ）ブラシ（Ａ）と同形成のブラシ（Ｂ）の芯金（７）の一方に、取り付けた同形状の      連結具（５）を介してクサリ（Ｂ）と接続する。各連結具は弾性体で被っている。
本発明は、以上の構成によりなっている。
本発明を使用するとき、瓶の中にブラシ全体と少量の水と微量の洗剤入れ、瓶の開口部を蓋や手で塞ぎ、瓶を上下左右に強く振り動かし、中のブラシを激しく転動させる。それぞれ転動したブラシは内面を強く打ち、且つ擦り汚れを除去する。終了後、瓶の開口部を下に向ければ、クサリ（Ａ）は自重により瓶外に垂れ出るので、これを引っ張っればブラシ全体を容易に引き出せる。そして、各連結具は弾性体で被っているため内面を傷付けない。このように、極めて簡単な方法で、全内面の汚れを除去する。更に、クサリは屈曲が自在なため、小さくまとめられ、収納や輸送時に場所を取らず、破損も無い。
【図面の簡単な説明】
【０００７】
【図１】本発明の正面図
【図２】本発明のブラシの斜視図
【図３】本発明のブラシＡのクサリとブラシの連結部の部分拡大断面図
【図４】本発明のブラシＢのクサリとブラシの連結部の部分拡大断面図
【図５】本発明の使用の瓶透視図
【図６】本発明の使用の瓶透視図
【０００８】      １  クサリＡ
２  クサリＢ
３  ブラシＡ
４、ブラシＢ
５、連結具
６、弾性体
７、芯金
８、瓶
2006075546.tif 000003
【図１】
2006075546.tif 000004
【図２】
2006075546.tif 000005
【図３】
2006075546.tif 000006
【図４】
2006075546.tif 000007
【図５】
2006075546.tif 000008
【図６】
2006075546.tif 000009
(57)【要約】【課題】本発明はコースターに癒しを求める現代人たちを満足させることを目的とし、安価で高級感を味わえるよう光の反射を利用している【解決手段】コースターに多彩な光を発するＬＥＤを取り付け反射板にて反射させることによりグラス全体を輝かせるものである【選択図】図１
2006075541.tif 000002
【特許請求の範囲】
【請求項１】
多彩な色の光を発するＬＥＤを使用する、及び削って使用する。
【請求項２】
コースターの厚みを６．５ｍｍ以下とする
【請求項３】
コースターの中央部におわん型の溝を設ける。
【請求項４】
使用するＬＥＤは薄型で、全高４ｍｍ以下とする。
【請求項５】
上面カバーに水滴防止用の溝を設ける。
【請求項６】
色付きのアクリル板又は塩ビ板を使用することにより、回りが反射し綺麗な光を発する。
【請求項７】
デザインシート及びホログラムシートは円形で中央部に内径の穴有を使用する。
【請求項８】
上面カバーを取り外すことにより、デザインシート・ホログラムシート・薄型ボタン電池及びおわん型反射板が交換可能となる。
【請求項９】
中央部のおわん型反射板に模様を付け、交換可能とすることでいろいろな種類の光を発する。
【請求項１０】
本体底にあるスイッチは、樹脂製のゴムを貼り付けることにより防水加工が施されている。
【請求項１１】
スイッチは厚さ２ｍｍの薄型で、重量に反応する接点式としている。
【請求項１２】
外装パッケージはブリスターケース及びＣＤケースを使用する。
【発明の詳細な説明】
【発明の詳細な説明】
【０００１】この発明はグラス等の下にひくコースターに多彩な色の光を発するＬＥＤを取り付け綺麗に輝くようにしたものである
【技術分野】
【０００２】従来のコースターはグラス等の水滴によるテーブルの汚れの除去が本来の目的であるが、このコースターが多彩な色の光源を発することにより、グラスとのコントラストを綺麗に、高級感を味わえる器具を提供する。
【背景技術】
【０００３】従来のコースターにおいては単色ＬＥＤを使用しており、光の反射をコースター本体に設けていない。
【特許文献１】  特開８−１４０８１２
【発明が解決しようとする課題】
【０００４】本発明はコースターに癒しを求める現代人たちを満足させることを目的とし、安価で高級感を味わえるよう光の反射を利用している
【課題を解決するための手段】
【０００５】コースターに多彩な色の光を発するＬＥＤを取り付け反射板にて反射させることによりグラス全体を輝かせるものである
【発明を実施するための最良の形態】
【０００６】コースター内に多彩な色ＬＥＤ及びそれを点滅させる回路を組込み、厚さ６５ｍｍ以内に抑える。又底にスイッチをつけることでグラスの重みにより作動するしくみにし、電源は小型の電池とする。
【実施例】
【０００７】実施例について図面を参照して説明すると、図１において、中央におわん型の溝を施したプラスチック製本体８におわん型反射板４、薄型ボダン電池７を２個、薄型重量接点スイッチ６をはめ込み、中央部に全高４ｍｍ以下の薄型ＬＥＤ５を配線でつなぎ取り付ける。
次に上面カバー１とプラスチック製本体８の間にデザインシート及びホログラムシート３をはさみ、はめ込む。
【発明の効果】
【０００８】本考案は以上のような構造で、これを使用する時グラスを置くだけで多彩な色で綺麗に光り出し、高級感ある雰囲気を作り出すことができる。
【図面の簡単な説明】
【０００９】
【図１】本発明を示した組立図である。
【符号の説明】
【００１０】１．上面カバー
２．水滴防止用溝
３．デザインシート又はホログラムシート
４．おわん型反射板
５．全高４ｍｍ以下の薄型ＬＥＤ
６．薄型重量接点式スイッチ
７．薄型ボタン電池
８．プラスチック製本体
９．スイッチ防水保護シール
【図１】
2006075541.tif 000003
(57)【要約】      （修正有）【課題】現在市販のまな板は、木製・ポリエチレン系で出来ているが、非常に重い。軽くするために、うすく１ｃｍ以内にして売っているがすべり落す危険性がある。高令者は重い物をもつと、腰が曲るほど躰にひびく。【解決手段】厚さを出す為、上下二枚のポリプロピレン板２，４の間にスチロール３を入れたが、スチロール３は上下二枚のポリプロピレン板２，４で保護される形になり、充分その役を果すことが出来た。結果として２００ｇ弱にすることが出来た。【選択図】図２
2006075578.tif 000002
【特許請求の範囲】
【請求項１】
まな板の部分と、厚みを出す為の軽い素材の組合せで構成されたもの。
【発明の詳細な説明】
【発明の詳細な説明】
【０００１】〔発明の属する技術分野〕表面はポリプロピレン板を利用し、中間は軽い割合に丈夫なスチロールを土台にした。三枚重なったまわりは、５ｃｍの白ガムテープで形造る。乾燥を早める為紐で下げるようにした。紐通しの穴の中は、やわらかいのでストローを入れ、重さにたえられるようにした。ストローの入口は鳩目で飾った。
【０００２】〔従来の技術〕昔から木製が主だったが、現在はプラスチック系も出ており、非常に重いことが課題だった。
【０００３】〔発明が解決しようとする課題〕従来は重いものが多く、若いうちはその重さに耐えられていた。だんだん年をかさねることによって、重さが身に沁みるようになる。８２才のおばあさんに出合った。家族が皆働いているので、食事はこのおばあさんが一手に引受けてると云うことです。お話を聞いたら「おーもいのなんのって…！！」。力説する顔のシワが物語る。又、家族と別になって一人暮しも多く、その上、独身者がだんだん高令になってくるので重視が必要と考える。高令になると、手の不自由な人が多くなり、まな板を落下したときの足、指先などの損傷は、さけたいものである。軽いまな板は、まだ市販されていない。
【０００４】〔課題を解決するための手段〕一番に解決出来た事は、重さが２００ｇ弱となり、格段の差に驚くと思う。これに使いなれた発明者は、デパートで売ってるまな板を持ち上げるとき、「ヨッコイショ」と、心の中で云ってしまった。益々腰が曲ってしまいそうだった。
【０００５】〔発明の実施の形態〕まな板の形は従来通りの長四角とし、厚さ２ｃｍは、使うとき、ホットする。出来上り真白で、何時までも白さを保つ。実際このまな板を使いなれてくると、おばあちゃんのママゴトも楽しさが増してくる。
【０００６】〔実施例〕丸三ヶ月使用し、実験したが、何時も真白で使い心地がよい。ポリプロピレンの表面の厚さは０．７５ミリできずを必配したが、ポリエチレンよりきずがつきにくい。たゞ熱いものはのせられない。
【０００７】〔発明の効果〕耐薬品性、耐水性にすぐれ、水ぎれがよく、乾燥が早い。落しても怪我の心配がない。
【図面の簡単な説明】
【図１】本発明の斜視図である。
【図２】本発明の組立図である。
【符号の説明】
１．つり紐２．ポリプロピレン板（０．７５ミリ）（白色）３．スチロール板（厚さ２ｃｍ）４．ポリプロピレン板（０．７５ミリ）（白色）５．ストロー（紐通し穴へさしこむ）６．鳩目（ストローの上下に差こむ）７．  〃（          〃          ）８．ガムテープ（白色）
【図１】
2006075578.tif 000003
【図２】
2006075578.tif 000004
(57)【要約】      （修正有）【課題】トイレ内の清浄作業が容易で、洗浄紙を使い捨てることにより、清潔を保つことができるトイレ洗浄用具を提供する。【解決手段】トイレ掃除用のブラシをタワシやスポンジといった不潔になりがちな素材でなく、使い捨てできる水溶性又は非水溶性の袋状洗浄紙５と、スライド管３を前後することにより、紙押さえバネ２が開閉し、洗浄紙を容易に着脱する装置を付けたことを特徴とする。好ましくは、袋状使い捨て洗浄紙を使用するが、従来の洗浄紙を折りたたんで使用することも可能である。【選択図】図５
2006075580.tif 000002
【特許請求の範囲】
【請求項１】
スライド管を前後することによって紙押さえバネが開閉し、袋状使い捨て洗浄紙を簡単に着脱することができるトイレ洗浄用具。
【請求項２】
水溶性又は非水溶性の袋状使い捨て洗浄紙。
【発明の詳細な説明】
【技術分野】
【０００１】  本発明は、トイレの床や便器の外部、内部の汚れを掃除するトイレ洗浄用具に関する。
〔背景技術〕【０００２】  一般に、トイレの床や便器の外部を掃除するものと、便器の内部を掃除するものとに分かれていた。【０００３】  トイレの内部を掃除する従来のトイレブラシは、掃除をした後、トイレブラシに汚れを残したままクリーナーポットに保管するか、吊り下げておいた。
〔発明の開示〕
〔発明が解決しょうとする課題〕【０００４】  上述したように、従来のトイレ洗浄用具は、掃除する箇所によって用具が異なり、特にトイレブラシは、掃除をした後のブラシの汚れを残し不潔になりやすいという問題があった。本発明は、そのような欠点のない、即ち、トイレ内の清浄作業が容易で、洗浄紙を捨てることにより清潔を保つことができるトイレ洗浄用具を提供することを課題とする。
〔課題を解決するための手段〕【０００５】  上記課題を解決するための本発明に係るトイレ洗浄用具および袋状使い捨て洗浄紙は、トイレ掃除用のブラシをタワシやスポンジといった不潔になりがちな素材ではなく、使い捨てできる水溶性又は非水溶性の洗浄紙とし、スライド管を前後することによって紙押さえバネが開閉し、洗浄紙を簡単に着脱する装置を付けたことを特徴とする。【０００６】  好ましくは、袋状使い捨て洗浄紙を使用するが、従来の洗浄紙を折りたたんで使用することも可能である。
〔発明の効果〕【０００７】  本発明は、上述したとおりであるので、便器の内外の掃除が容易になり、洗浄紙を使い捨てることにより、トイレの清潔を保つ効果がある。【０００８】  殊に水溶性の洗浄紙を使用することにより、トイレに流すことができ便利である。
〔発明を実施するための最良の形態〕【０００９】  以下、本発明の実施の形態を図１〜図５に基づいて説明する。【００１０】  図においては、紙装着部１は、金属製又はプラスチック製であり、袋状使い捨て洗浄紙５を被せ、便器の外、縁の裏側を拭くのに適した大きさ、厚さ、角度が付いているものである。【００１１】  紙押さえバネ２は、金属製又はプラスチック製であり、スライド管３を押して、紙押さえバネ２を閉じ、袋状使い捨て洗浄紙５の端を挟み紙を固定する。又、スライド管３を引いて、紙押さえバネ２を開き紙を外すものである。【００１２】  スライド管３は、金属製又はプラスチック製であり、手前に引くと紙押さえバネ２が開き、先端方向に押すことにより紙押さえバネ２が閉じるものである。【００１３】  柄４は、金属製又はプラスチック製であり、丈夫で掃除に適した長さのものである。【００１４】  袋状使い捨て洗浄紙５は、水溶性又は非水溶性の洗浄紙を袋状にしたものである。大きさは、装着部１より余裕を持たせ紙押さえバネ２が開いたときに滑り落ちる程度のものが良い。【００１５】  図４．図５は紙装着部１に袋状使い捨て洗浄紙５を装着した状態である。洗浄紙を袋状にすることにより、着脱が容易になり、使用時に洗浄紙がずれることが少なくなる。
【図面の簡単な説明】
【００１６】〔図１〕本発明に係るトイレ洗浄用具の正面図である。
〔図２〕本発明に係るトイレ洗浄用具の側面図である。
〔図３〕本発明に係る袋状使い捨て洗浄紙の前方斜視図である。
〔図４〕本発明に係るトイレ洗浄用具に袋状洗浄紙を装着したときの正面図である。
〔図５〕本発明に係るトイレ洗浄用具に袋状洗浄紙を装着したときの側面図である。
【符号の説明】
【００１７】１      紙装着部
２      紙押さえバネ
３      スライド管
４      柄
５      袋状使い捨て洗浄紙
【図１】
2006075580.tif 000003
【図２】
2006075580.tif 000004
【図３】
2006075580.tif 000005
【図４】
2006075580.tif 000006
【図５】
2006075580.tif 000007
(57)【要約】      （修正有）【課題】ブラシ部分と柄を連結する機構を単純な構造とし、容易に着脱出来尚かつ、ヘッド部分は柄に対して３６０度回転する構造とする。さらに使用時はヘッド部分が安易に動かない事。【解決手段】ブラシ部分と柄の部分の連結方式として、ブラシの台座部分中央に円柱状の凹の穴を施し、柄の先端部分に円柱状の凸状の芯を施した。この両者を連結することで、着脱とブラシ部分の回転を同時に可能にした。凸部分の根本に衝撃吸収ゴムのリングを装着し、柄とブラシヘッドの連結部分に生じる機械的衝撃を緩和させる。又、歯磨きの最中にブラシヘッドが柄に対して動く事も防ぐ。【選択図】図１
2006075574.tif 000002
【特許請求の範囲】
【請求項１】
ブラシ部分と柄の着脱の機構に円柱状の凹と凸を施し、これにより着脱と回転の両機能を備えた。柄の凸部分の根本に衝撃吸収ゴムのリングを装着した。この衝撃吸収のゴムのリングは、ハブラシの使用時にブラシヘッドと柄の連結部分に発生する機械的衝撃を緩和させるためである。また、ブラシの角度を任意の状態で使用する時に、ブラシが柄に対してずれる事を防ぐために採用した。
【発明の詳細な説明】
【技術分野】この発明は、ブラシヘッドと柄が容易に着脱でき、柄の先端部分に装着したブラシヘッドが３６０度回転する歯ブラシに関する。
【背景技術】
【０００１】特許文献１は、ブラシ部分をサポートする手段として、ジグザグ状の貫通切れ込みを設けてある。この部分に付着した汚れ等の洗浄に難点があると考えられる。又、歯ブラシ時に連結部分に発生する振動や摩擦等の影響を受け、ヘッド部分のふらつきや、ゆるみ等が発生する事が考えられる。【０００２】特許文献２は、ブラシヘッドを交換可能にしてあるが、交換する際にビスの取り付け取り外しを必要としている。又、連結状態は安定しているが連結の機構が少々複雑である。【０００３】特許文献３は、ブラシ部分と柄の連結に球状の凹と凸を移用しているが、この球状の内部の汚れの影響が心配される。又、ブラシのヘッド部分に施した溝に汚れなどが付着する事も考えられる。【０００４】
【特許文献１】特許開２００３−１９９６２２
【０００５】
【特許文献２】特許開２００４−８９３４６
【０００６】
【特許文献３】特許開２００４−１１３３７８
【発明の開示】
【発明が解決使用とするための課題】
【０００７】ブラシ部分と柄を連結する機構を単純な構造とし、容易に着脱出来尚かつ、ヘッド部分は柄に対して３６０度回転する構造とする。さらに使用時はヘッド部分が安易に動かない事。
【課題を解決するための手段】
【０００８】本発明は、ブラシ部分と柄の部分の連結方式として、ブラシの台座部分中央に円柱状の凹の穴を施し、柄の先端部分に円柱状の凸の芯を施した。この両者を連結することで、着脱とブラシ部分の回転を同時に可能にした。凸部分の根元に衝撃吸収ゴムのリングを装着し、柄とブラシヘッドの連結部分に生じる機械的衝撃を緩和させる。又、歯磨きの最中にブラシヘッドが柄に対して動く事も防ぐ。
【発明の効果】
【０００９】本発明は、ブラシ部分と柄を連結する仕組みを単純にし、容易に着脱する事に成功した。これにより寿命が来たブラシ部分だけを交換し柄を再利用する事が出来る。この結果、ゴミの削減も可能にした。又、ヘッド部分に突起部分を設けなかったので歯磨きにあまり影響を与えない。連結の仕組みを複雑にしなかった事と、溝部分などを設けなかった事で、洗浄にかかる手間を省く事が出来る。
【００１０】回転可能なブラシ部分を任意の角度で使用する場合、歯磨き中にブラシを口内に入れたまま、ブラシの台座部分を歯で軽く押さえつけながら設定できる事も特徴である。又、衝撃吸収のゴムのリングを装着した事で、使用中に連結部分に発生する機械的衝撃を緩和することが出来た。これにより連結部分の破損などを防ぐことが出来る。さらに、衝撃吸収ゴムのリングは、連結部分が接触する間に位置する事で、滑り止めの役割を果たすため、ブラシヘッドがふらついり動いたりする事も防いでいる。この結果、目的に応じたブラシのポジションを設定した場合、安定した角度を維持できるため、歯や歯茎に効果のあるブラッシングが可能となり歯周病などの防止に役に立つ歯ブラシとなった。
【００１１】この歯ブラシはＴの字型で使用する割合が高い。前歯の場合を例に取ると、柄の動きは歯や歯茎に対して上下の運動をする事になる。このため、連結してある凹と凸には引っ張り合う力が働かないので外れる事はない。しかも、柄に施した凸の根元部分に衝撃吸収用のゴムのリングを装着した事で、この部分にかかる応力を吸収、分散する事が出来る。よって柄の先端部分に厚みを持たせ強化しなくても済んだ。これにより、ヘッド部分の体積を最小限にする事に成功した。歯磨きに支障のない大きさで、ブラシヘッドが着脱出来る回転歯ブラシを提供する事に成功した。
【００１２】又、ブラシ部分の角度の設定次第で、柄の動かし方が変わるので、ブラシと柄が一体型の歯ブラシと比較すると腕や肘・手首にかかる負担を軽減する事も出来る。衝撃吸収ゴムのリングの働きにより使用中にブラシ部分のふらつき等もなく、安定したブラシヘッドが着脱できる回転歯ブラシを提供する事が出来た。
【発明を実施するための最良の形態】本発明の、ブラシが着脱自在で回転する歯ブラシは図１に示すように、図３のブラシ部分６と図２の柄１、図４のリング８の３個の部品からなるものである。図３の円柱状の凹５に、図２の円柱状の凸２をはめ込むことで、図２の柄の凸芯を支点としてブラシ部分が３６０度回転する機能を持つ、ブラシヘッドが着脱できる回転する歯ブラシになるのである。着脱の強弱は、図３の凹部分４の内径の寸法や、図２凸部分３の外径の寸法を変える事で調整出来る。又、ブラシ部分の回転の強弱は図２の凸２の先端部分の外径の寸法を変える事で調整出来る。【００１３】歯ブラシの使用時にブラシ部と柄の連結部分に発生する機械的衝撃を緩和するために、図２の柄１の凸部分の根元に８の衝撃吸収ゴムのリングを装着する。このリングは、使用時にブラシヘッド部分のふらつきを防止する働きもする。ゴムの材質は各種換えても良い。
【産業上の利用可能性】
【００１４】本発明は、ブラシヘッドと柄が着脱出来るため、ブラシヘッドに寿命が来たら交換が出来る。柄は長期にわたり使用できるのでゴミの量を削減できる事が可能となっている。
【図面の簡単な説明】
【図１】本発明の着脱出来て回転する歯ブラシの、組み立てた状態の斜視図である。
【図２】柄の部分の側面図である。
【図３】ブラシヘッド部分の側面図である。
【図４】衝撃吸収ゴムのリングの正面図である。
【符号の説明】
１柄
２係合凸部
３係止部
４係止部
５係合凹部
６ブラシ台座部
７ブラシ
８衝撃吸収ゴムリング
【図１】
2006075574.tif 000003
【図２】
2006075574.tif 000004
【図３】
2006075574.tif 000005
【図４】
2006075574.tif 000006